(57)【要約】      （修正有）【課題】全体の長さが縮小されたワイヤレスレシーバを提供する。【解決手段】前端部１０１、後端部１０２及び両側端部１０３を有し、開口１０４１を持つ取り付け空間が設けられ、前記開口は前記前端部に設けられ、前記両側端部にはそれぞれ上方に向けてリブ１０５が突設され、各リブは前記前端部から前記後端部へ向けて延設されたケース１と、前記ケース１の取り付け空間内に設置された受信モジュール２とを備え、前記受信モジュール２は、回路基板２１と、前記回路基板２１に電気的に接続された受信チップ２２と、回路基板２１に電気的に接続され、且つケース１の開口１０４１に対応して露出された導電コンタクト２３とを有する。【選択図】図１
0003149376.tif 000002
【実用新案登録請求の範囲】
【請求項１】
前端部、後端部及び両側端部を有し、開口を持つ取り付け空間が設けられ、前記開口は前記前端部に設けられ、前記両側端部にはそれぞれ上方に向けてリブが突設され、各リブは前記前端部から前記後端部へ向けて延設されたケースと、
前記ケースの取り付け空間内に設置された受信モジュールとを備え、
前記受信モジュールは、回路基板と、前記回路基板に電気的に接続された受信チップと、前記回路基板に電気的に接続され、且つ前記ケースの開口に対応して露出された導電コンタクトとを有することを特徴とするワイヤレスレシーバ。
【請求項２】
前記ケースは、絶縁ベースとストップケースとを含み、
前記ケースの前端部、後端部及び両側部は、前記絶縁ベースの前端部、後端部及び両側端部であって、前記開口を持つ取り付け空間及び前記リブは前記絶縁ベースに形成され、
前記絶縁ベースに前記取り付け空間と連通する取り付け口が設けられ、前記受信モジュールは、前記絶縁ベースの取り付け口から前記絶縁ベースの取り付け空間内に設置され、
前記ストップケースは前記絶縁ベースの後端部に取り付けられ、前記取り付け口を閉鎖すると共に前記受信モジュールを係止することを特徴とする請求項１記載のワイヤレスレシーバ。
【請求項３】
前記ストップケースは、互いに突き合わせる二つのケース座を有し、前記絶縁ベースの後端部に係止されることを特徴とする請求項２記載のワイヤレスレシーバ。
【請求項４】
前記絶縁ベースの後端部を形成する壁面に係止部が突出して設けられ、前記係止部に前記二つのケース座が係止されることを特徴とする請求項３記載のワイヤレスレシーバ。
【請求項５】
前記二つのケース座に差し込み溝がそれぞれ凹設され、前記係止部は前記二つのケース座の差し込み溝内に嵌め込まれることを特徴とする請求項４記載のワイヤレスレシーバ。
【請求項６】
前記ストップケースの長さ≦前記絶縁ベースの長さであることを特徴とする請求項２記載のワイヤレスレシーバ。
【請求項７】
前記ケースは、ベース及び前記ベースに突き合わせる上蓋を含み、
前記前端部は、前記ベースの前端部であって、前記ベース及び前記上蓋は前記取り付け空間を形成し、前記ベースの前端部には、前記開口及び前記リブが形成されることを特徴とする請求項１記載のワイヤレスレシーバ。
【請求項８】
前記上蓋の長さは前記ベースの長さよりも短いことを特徴とする請求項７記載のワイヤレスレシーバ。
【請求項９】
前記導電コンタクトは４つであることを特徴とする請求項１、２または７に記載のワイヤレスレシーバ。
【考案の詳細な説明】
【技術分野】
【０００１】
本考案は、ワイヤレスレシーバに係り、特に、ワイヤレスコンピュータ周辺装置の信号を受信するためのワイヤレスレシーバに関する。
【背景技術】
【０００２】
科学技術の進歩に伴い、現代の人々が操縦快適度への要求のため、一般にコンピュータ周辺機器は、無線化に向けて設計されるようになっている。そのような周辺機器として、例えば、ワイヤレスマウスや、ワイヤレスキーボード、ワイヤレスリモコンまたはワイヤレスゲームレバーなどがある。
ワイヤレス伝送方式は、主に、ＲＦまたはブルートゥース（Bluetooth）等の伝送方式で、コンピュータ装置上のＵＳＢ(Universal Serial Bus)ポートにワイヤレスレシーバを挿着すれば、ワイヤレスレシーバでワイヤレスコンピュータ周辺装置からの信号を受信でき、コンピュータ装置とワイヤレスコンピュータ周辺装置との無線伝送及び制御を行う効果を達成できる。
このように、多くのパソコンユーザが有線伝送方式に限らず、ワイヤレスコンピュータ周辺装置をより自由に操作できる理想的な状態になる。
【０００３】
現在、市場において一般のコンピュータ周辺機器が使用しているワイヤレスレシーバは、大体に、ＵＳＢインターフェースを持つＵＳＢヘッドと、ＵＳＢヘッドの後方に結合され且つ電気的に接続された受信モジュールと、ＵＳＢヘッドの後方に位置され受信モジュールを覆うケースからなるものである。このワイヤレスレシーバのＵＳＢヘッドをコンピュータ装置上のＵＳＢポートに直接に挿着させることで、信号を受信する目的を達成できる。
【０００４】
しかしながら、実際の設計において、ＵＳＢヘッドの長さは、大体、標準化されたサイズであり、さらに、受信モジュール及びケースの長さを加えると、ワイヤレスレシーバ全体の長さが、大体、ＵＳＢヘッドの標準長さの１〜２倍以上になり、全体の長さは少なくとも約４ｃｍ以上である。
このように、内部に収納空間が設けられワイヤレスレシーバを収納するワイヤレスコンピュータ周辺装置にとって、長さが長いほどワイヤレスレシーバが内部空間を占め易くなる。特に、ワイヤレスマウスについては、長さの長いワイヤレスレシーバを使用すると、マウス製造メーカにとって設計上の困難となり、内部に他の素子の配置も困難となり、設計コストが増加され、体積を削減し難い等の欠点がある。
【０００５】
そのため、本考案者は、上記課題を解決するため、長年以来この領域で積み立てた経験により、専念な観察かつ研究をし、さらに学術理論の運用に合せ、合理な設計の本考案を提案した。
【考案の概要】
【考案が解決しようとする課題】
【０００６】
本考案は、全体の長さが縮小されたワイヤレスレシーバを提供することを目的とする。
【課題を解決するための手段】
【０００７】
前記目的を達成するため、本考案が提供したワイヤレスレシーバは、ケースと、受信モジュールとを含む。ケースは、前端部、後端部及び両側端部を有し、開口を持つ取り付け空間が設けられ、前記開口は前端部に設けられ、両側端部の天井壁面にリブが突出され、リブごとは前端部から後端部へ延伸するように設けられた。受信モジュールは、前記ケースの取り付け空間内に設置されるもので、回路基板と、前記回路基板に電気的に接続された受信チップと、前記回路基板に電気的に接続され且つ前記ケースの開口に対応して露出された導電コンタクトとを有する。
【０００８】
本考案は、以下の効果を有する。受信モジュールをケースの取り付け空間内に設置することにより、受信モジュールがケース内に直接に収納されるようになり、導電コンタクトがケースの前端部の開口に直接に露出され、このようにして、全体の長さが直接に短縮され、従来と比較すると、ワイヤレスコンピュータ周辺装置の内部に占める空間を削減することができる。
【０００９】
次に、ケースの前端部に両リブ部が形成され、本考案をコンピュータ装置のＵＳＢポートに挿着する場合、リブ部によってユーザが本考案をＵＳＢポートに逆方向に挿着することを防ぐことができ、フールプルーフの効果を有する。
【００１０】
本考案に係る特徴及び技術内容は、以下に本考案に関る詳しい説明及び添付図面を参照することにより、深く且つ具体的な理解を得られるが、それらの添付図面は参考及び説明のみに使われ、本考案の主張範囲を局限するものではない。
【図面の簡単な説明】
【００１１】
【図１】図１は、本考案の分解斜視図である。
【図２】図２は、本考案の斜視図である。
【図３】図３は、本考案のもう一つの分解斜視図である。
【図４】図４は、本考案のもう一つの実施例の分解斜視図である。
【図５】図５は、本考案の更なる他の実施例の斜視図である。
【考案を実施するための形態】
【００１２】
図１に示すように、本考案によるワイヤレスレシーバは、ケース１と受信モジュール２とを含む。
【００１３】
ケース１は、前端部１０１、後端部１０２及び両側端部１０３を有し、該ケース１は、開口１０４１を持つ取り付け空間１０４が設けられ、開口１０４１は前端部１０１に開設されている。
ケース１を形成する両側端部１０３には、それぞれ上方に向けてリブ１０５が突出して形成され、各リブ１０５はケース１の前端部１０１から後端部１０２に向けて所定の長さ延設されている。
【００１４】
受信モジュール２は、少なくとも、回路基板２１と、回路基板２１に電気的に接続された受信チップ２２と、回路基板２１に電気的に接続された導電コンタクト２３とを含む。コンピュータ装置のＵＳＢポートの仕様設計に基づいて、４つの導電コンタクト２３が回路基板２１に設けられている。導電コンタクト２３は導電端子であっても良く、エッジコネクタであっても良いが、エッジコネクタであるのがより好ましい。受信チップ２２は、回路基板２１の上方または下方に設けられ、この受信チップ２２は、ブルートゥースやＲＦのチップである。
【００１５】
本考案では、受信モジュール２は、ケース１の取り付け空間１０４内に設置され、受信モジュール２の導電コンタクト２３は、ケース１の開口１０４１に対応して露出される。
【００１６】
本考案の具体的な実施例では、図１〜図３に示すように、本考案の一実施例であり、前記ケース１は、絶縁ベース１１及びストップケース１２を含む。
【００１７】
絶縁ベース１１は電気絶縁性のプラスチック材から作成され、本実施例では、上記ケース１の前端部１０１、後端部１０２及び両側端部１０３は、該絶縁ベース１１の前端部、後端部及び両側端部であって、上記の開口１０４１を持つ取り付け空間１０４及び前記複数のリブ１０５は該絶縁ベース１１に形成される。
絶縁ベース１１には、取り付け空間１０４と連通し、絶縁ベース１１の後端部１０２に位置する取り付け口１１１が設けられる。取り付け口１１１は絶縁ベース１１の後端面に開設され、また、絶縁ベース１１の後端部１０２を形成する壁面の周縁には係止部１１２が設けられている。
【００１８】
ストップケース１２は、互いに突き合わせる二つのケース座１２１ａ、１２１ｂを有し、係合の方式で突き合わせることができる。すなわち、図１に示すように互いに係合する掛け金１２２及び係止溝１２３を設けても良いし、或いは、図３に示すように、ほぞ１２４及び係止孔１２５を設け、ほぞ１２４を係止孔１２５内に差し込んで固定されても良い。
本考案はこれらの係合方式に限定されることなく、あらゆる相互係合方式を適用することができる。二つのケース座１２１ａ、１２１ｂは、上下、左右の突き合わせ方式で構成することができる。
また、二つのケース座１２１ａ、１２１ｂには、それぞれ、差し込み溝１２６が凹設され、これに絶縁ベース１１の係止部１１２が係止するようになされている。
【００１９】
本実施例の組み立ての際に、受信モジュール２は、絶縁ベース１１の取り付け口１１１から取り付け空間１０４内に設置され、かつ、絶縁ベース１１の取り付け空間１０４を形成する壁面により受信モジュール２が位置決めされる。
受信モジュール２の導電コンタクト２３は、絶縁ベース１１の開口１０４１に対応して露出される。
【００２０】
ストップケース１２は、絶縁ベース１１の後端部１０２に取り付けられる。ストップケース１２は、絶縁ベース１１の取り付け口１１１を閉鎖し、受信モジュール２を係止させて絶縁ベース１１の取り付け口１１１から滑り出すことを防ぐ機能を果たす。
この実施形態では、二つのケース座１２１ａ、１２１ｂが互いに突き合わせて絶縁ベース１１の後端部１０２に固定され、このとき、絶縁ベース１１の係止部１１２がケース座１２１ａ、１２１ｂの差し込み溝１２６に係止する。
即ち、係止部１１２が、二つのケース座１２１ａ、１２１ｂの差し込み溝１２６内に嵌め込まれることにより、二つのケース座１２１ａ、１２１ｂが絶縁ベース１１の後方から脱落することを防ぐことができる。
尚、好ましくは、ストップケース１２の長さｄ≦絶縁ベース１１の長さＤである。
【００２１】
本実施形態を用いる際に、絶縁ベース１１の前端部１０１をコンピュータ装置のＵＳＢポートに位置合わせしてから挿着すると、受信モジュール２の導電コンタクト２３は、ＵＳＢポート内の突合せコンタクトに接触して電気的に接続される。これにより、受信モジュール２の受信チップ２２とコンピュータ装置との信号伝送の目的を達成し、ワイヤレスレシーバがワイヤレスコンピュータ周辺装置からの信号を受信する場合に、コンピュータ装置がワイヤレスコンピュータ周辺装置と無線伝送及び制御する目的を達成できる。
また、ケース１の前端部１０１に二つのリブ１０５が形成されることで、本考案によるワイヤレスレシーバをＵＳＢポートに挿着する時のフールプルーフの効果にもなる。すなわち、リブ１０５によって、ユーザが本考案によるワイヤレスレシーバをＵＳＢポートに逆方向に挿着することを防ぐことができ、フールプルーフの効果を備える。
【００２２】
さらに、図４及び図５に本考案の他の実施形態を示す。
前記実施形態との相違点は、ケース１’は、ベース１１’及び該ベース１１’に突き合わせる上蓋１２’を含み、上蓋１２’の長さｄ’はベース１１’の長さＤ’より短く、ベース１１’の前端部１０１’が上蓋１２’の前方に突出されることである。
【００２３】
ベース１１’及び上蓋１２’は、受信モジュール２を設置するためのケース１’の取り付け空間１０４’を形成し、ベース１１’の前端部１０１’は、開口１０４１’及び前記複数のリブ１０５’を形成する。
また、ベース１１’及び上蓋１２’の突合せ方式は、上記実施形態のストップケース１２の二つのケース座１２１ａ、１２１ｂのように、掛け金及び係止溝（図示せず）、或いは、あらゆる同等な効果のある係止手段を設けてもよい（本実施形態では繰り返し説明しない）。
【００２４】
本実施形態を用いる際、ケース１’の前端部１０１’のみを同様にコンピュータ装置のＵＳＢポートに位置合わせてから挿着すると、受信モジュール２の導電コンタクト２３は、ＵＳＢポート内の突合せコンタクトに接触して電気的接続され、上記と同じ使用目的を達成できる。
【００２５】
以上に説明したように、本考案は、受信モジュール２をケース１、１’の取り付け空間１０４、１０４’内に取り付けることにより、受信モジュール２がケース１、１’内に直接に収納されるようになり、導電コンタクト２３がケース１、１’の前端部１０１、１０１’の開口１０４１、１０４１’に直接に露出される。
これにより、全体の長さが大きく短縮され、本考案全体の長さは、約１．５〜３ｃｍとなり、ワイヤレスコンピュータ周辺装置の内部に占める空間、特に無線マウスの内部に占める空間を従来よりも削減することができる。
次に、好ましくは、ストップケース１２の長さｄ≦絶縁ベース１１の長さＤとすることで、約１．５〜２ｃｍとなり、長さをより短くすることができる。
【００２６】
また、特に、受信モジュール２がケース１、１’の取り付け空間１０４、１０４’内に設けられることで、受信モジュール２が不意に損壊された場合、例えば、製造の工程または販売使用後において、本考案は、ケース１、１’のみを取り外して損壊された受信モジュール２を取り出せば、取替えることができる。
このように、受信モジュール２が破壊された場合、そのケースを破壊して受信モジュール２を取り出す必要はない。さらに詳しく言うと、従来のワイヤレスレシーバの受信モジュールが損壊されると、普通に交換できず、破壊すれば全体構造も損壊され、全部交換しなければならなくなる。このように従来はメンテナンス出来ず、資源が無駄になる場合があるが、本考案は、取り外し及びメンテナンスし易いなどの効果を備えている。
【００２７】
尚、以上説明した実施の形態は、単に本考案の好ましい具体的な実施形態に過ぎず、本考案の実用新案登録請求の範囲を局限するものではない。また、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００２８】
１          ケース
２          受信モジュール
１０１      前端部
１０２      後端部
１０３      側端部
１０４１    開口
１０４      取り付け空間
１０５      リブ
２１        回路基板
２２        受信チップ
２３        導電コンタクト
１１        絶縁ベース
１２        ストップケース
１１１      取り付け口
１１２      係止部
１２１ａ、１２１ｂ    ケース座
１２２      掛け金
１２３      係止溝
１２４      ほぞ
１２５      係止孔
１２６      差し込み溝
１’        ケース
１１’      ベース
１２’      上蓋
１０１’    前端部
１０２’    後端部
１０４’    取り付け空間
１０４１’  開口
１０５’    リブ
Ｄ、ｄ、Ｄ’、ｄ’    長さ
【図１】
0003149376.tif 000003
【図２】
0003149376.tif 000004
【図３】
0003149376.tif 000005
【図４】
0003149376.tif 000006
【図５】
0003149376.tif 000007